(57)【特許請求の範囲】
【請求項１】
水深計測手段により計測される水深計測値を表示する表示針と、
前記表示針を駆動する第１の輪列と、
前記輪列を駆動する第１のモータと、
前記水深計測手段が動作している時間を計時する計時手段と、
前記計時手段により計時した潜水時間を表示する潜水時間表示針と、
前記潜水時間表示針を駆動する第２の輪列と、
前記輪列を駆動する第２のモータと、
前記計測が開始された計測開始時刻を記憶する計測開始時刻記憶手段と、
前記計測開始時刻を表示する計測開始時刻表示針と、
前記計測開始時刻表示針を駆動する第３の輪列と、
前記輪列を駆動する第３のモータと、
前記水深計測値と前記表示針の表示位置が一致するように前記第１のモータを制御し、前記潜水時間と前記潜水時間表示針の表示位置が一致するように前記第２のモータを制御し、前記計測開始時刻と前記計測開始時刻表示針の表示位置が一致するように前記第３のモータを制御する制御手段とを備え、
前記水深計測値は、前記潜水時間および前記計測開始時刻と同時に表示されることを特徴とするアナログ水深計測器。
【請求項２】
前記水深計測値または前記水深計測値を演算した結果を記憶する記憶手段と、
前記潜水時間を記憶する潜水時間記憶手段とをさらに備え、
通常時は、前記水深計測値と前記表示針の表示位置が一致するように前記第１のモータを制御し、前記潜水時間と前記潜水時間表示針の表示位置が一致するように前記第２のモータを制御し、前記計測開始時刻と前記計測開始時刻表示針の表示位置が一致するように前記第３のモータを制御し、
入力手段からの入力に応じて、前記表示針の位置が前記記憶手段に記憶された値と一致するように前記第１のモータを制御し、前記潜水時間表示針の位置が前記潜水時間記憶手段に記憶された値と一致するように前記第２のモータを制御し、前記計測開始時刻表示針の位置が前記計測開始時刻記憶手段に記憶された値と一致するように前記第３のモータを制御する制御手段とを備えたことを特徴とする請求項１記載のアナログ水深計測器。
【請求項３】
前記記憶手段及び前記潜水時間記憶手段及び前記計測開始時刻記憶手段又はこれら手段の少なくとも一つに特定の値を記憶させる初期化手段を備えたことを特徴とする請求項２記載のアナログ水深計測器。
【請求項４】
水深計測手段により計測される水深計測値を表示する表示針と、
前記表示針を駆動する第１の輪列と、
前記輪列を駆動する第１のモータと、
前記水深計測手段が動作している時間を計時する計時手段と、
前記計時手段により計時した潜水時間を表示する潜水時間表示針と、
前記潜水時間表示針を駆動する第２の輪列と、
前記輪列を駆動する第２のモータと、
前記計測が開始された計測開始時刻を記憶する計測開始時刻記憶手段と、
前記計測開始時刻を表示する計測開始時刻表示針と、
前記計測開始時刻表示針を駆動する第３の輪列と、
前記輪列を駆動する第３のモータと、
前記水深計測値と前記表示針の表示位置が一致するように前記第１のモータを制御し、前記潜水時間と前記潜水時間表示針の表示位置が一致するように前記第２のモータを制御し、前記計測開始時刻と前記計測開始時刻表示針の表示位置が一致するように前記第３のモータを制御する制御手段とを備え、
前記水深計測値は、前記潜水時間および前記計測開始時刻と同時に表示されることを特徴とするアナログ水深計測器であって、
前記計測開始時刻表示針は、前記計測手段が動作していないときには現在時刻を表示することを特徴とするアナログ水深計測器。
【発明の詳細な説明】
【０００１】
【産業上の利用分野】
本発明はアナログ水深計測器（アナログ計測器）に関する。
【０００２】
【従来の技術】
従来のアナログ計測器には計測値と同時に時間情報も同時に表示するものはなかった。
【０００３】
また、計測値または計測値の最大値や計測値の平均値と、計測値の演算結果を記憶及び呼び出し表示する従来のアナログ計測器に時間情報も同時に記憶呼び出し表示するものはなかった。
【０００４】
また、従来のアナログ計測器には計測値と同時に時刻情報も同時に表示するものはなかった。
【０００５】
また、計測値または計測値の最大値と計測値の平均値と、計測値の演算結果を記憶及び呼び出し表示する従来のアナログ計測器に時刻情報も同時に記憶呼び出し表示するものはなかった。
【０００６】
また、従来の計測値または計測値の最大値と計測値の平均値と、計測値の演算結果を記憶及び呼び出し表示するアナログ計測器では、計測が実行されていないときには呼出表示が実行されないか、表示される値が不定か０か計測可能な最小値のいずれかであった。
【０００７】
【発明が解決しようとする課題】
しかし従来のアナログ計測器には計測値と同時に時間情報も同時に表示するものはなかったため、計測を実行していた時間等の時間情報を同時に知ることができないという問題点があった。そこで本発明はアナログ計測器において時間情報を表示できるようにすることを目的とする。
【０００８】
また、従来の計測値または計測値の最大値や計測値の平均値等、計測値の演算結果を記憶及び呼び出し表示するアナログ計測器に時間情報も同時に記憶呼び出し表示するものはなかったため、計測を継続していた時間等の時間情報を同時に知ることができないという問題点があった。そこで本発明はアナログ計測器において時間情報を呼び出し表示できるようにすることを目的とする。
【０００９】
また、従来のアナログ計測器には計測値と同時に時刻情報も同時に表示するものはなかったため計測を開始した時刻等の時刻情報を同時に知ることはできないという問題点があった。そこで本発明はアナログ計測器において時間情報を表示できるようにすることを目的とする。
【００１０】
また、従来の計測値または計測値の最大値や計測値の平均値等、計測値の演算結果を記憶及び呼び出し表示するアナログ計測器に時刻情報も同時に記憶呼び出し表示するものはなかったため計測を開始した時刻等の時刻情報を同時に知ることはできないという問題点があった。そこで本発明はアナログ計測器において時刻情報を呼び出し表示できるようにすることを目的とする。
【００１１】
また、従来の計測値または計測値と関連したデータを記憶及び呼び出し表示するアナログ計測器では、計測が実行されていないときには呼出表示が実行されないか、表示される値が不定か０か計測可能な最小値のいずれかであったため、計測を実行するまで呼出表示の機能が正常に働くか確認できず、また、操作方法を覚えたり、操作説明のために呼出機能を実行することができないという問題点があった。そこで本発明は計測値または計測値の演算結果を呼出表示するアナログ計測器において、計測が未実行でも通常の呼出表示を実行可能とすることを目的とする。
【００１２】
【課題を解決するための手段】
前記目的を達成するため、本発明のアナログ計測器は、水深計測手段により計測される水深計測値を表示する表示針と、前記表示針を駆動する第１の輪列と、前記輪列を駆動する第１のモータと、前記水深計測手段が動作している時間を計時する計時手段と、前記計時手段により計時した潜水時間を表示する潜水時間表示針と、前記潜水時間表示針を駆動する第２の輪列と、前記輪列を駆動する第２のモータと、前記計測が開始された計測開始時刻を記憶する計測開始時刻記憶手段と、前記計測開始時刻を表示する計測開始時刻表示針と、前記計測開始時刻表示針を駆動する第３の輪列と、前記輪列を駆動する第３のモータと、前記水深計測値と前記表示針の表示位置が一致するように前記第１のモータを制御し、前記潜水時間と前記潜水時間表示針の表示位置が一致するように前記第２のモータを制御し、前記計測開始時刻と前記計測開始時刻表示針の表示位置が一致するように前記第３のモータを制御する制御手段とを備え、前記水深計測値は、前記潜水時間および前記計測開始時刻と同時に表示されることを特徴とする。
また、本発明は、前記水深計測値または前記水深計測値を演算した結果を記憶する記憶手段と、前記潜水時間を記憶する潜水時間記憶手段とをさらに備え、通常時は、前記水深計測値と前記表示針の表示位置が一致するように前記第１のモータを制御し、前記潜水時間と前記潜水時間表示針の表示位置が一致するように前記第２のモータを制御し、前記計測開始時刻と前記計測開始時刻表示針の表示位置が一致するように前記第３のモータを制御し、入力手段からの入力に応じて、前記表示針の位置が前記記憶手段に記憶された値と一致するように前記第１のモータを制御し、前記潜水時間表示針の位置が前記潜水時間記憶手段に記憶された値と一致するように前記第２のモータを制御し、前記計測開始時刻表示針の位置が前記計測開始時刻記憶手段に記憶された値と一致するように前記第３のモータを制御する制御手段とを備えたことを特徴とする。
また、本発明は、前記記憶手段及び前記潜水時間記憶手段及び前記計測開始時刻記憶手段又はこれら手段の少なくとも一つに特定の値を記憶させる初期化手段を備えたことを特徴とする。
また、本発明は、水深計測手段により計測される水深計測値を表示する表示針と、前記表示針を駆動する第１の輪列と、前記輪列を駆動する第１のモータと、前記水深計測手段が動作している時間を計時する計時手段と、前記計時手段により計時した潜水時間を表示する潜水時間表示針と、前記潜水時間表示針を駆動する第２の輪列と、前記輪列を駆動する第２のモータと、前記計測が開始された計測開始時刻を記憶する計測開始時刻記憶手段と、前記計測開始時刻を表示する計測開始時刻表示針と、前記計測開始時刻表示針を駆動する第３の輪列と、前記輪列を駆動する第３のモータと、前記水深計測値と前記表示針の表示位置が一致するように前記第１のモータを制御し、前記潜水時間と前記潜水時間表示針の表示位置が一致するように前記第２のモータを制御し、前記計測開始時刻と前記計測開始時刻表示針の表示位置が一致するように前記第３のモータを制御する制御手段とを備え、前記水深計測値は、前記潜水時間および前記計測開始時刻と同時に表示されることを特徴とするアナログ水深計測器であって、前記計測開始時刻表示針は、前記計測手段が動作していないときには現在時刻を表示することを特徴とする。
【００２０】
【実施例】
以下、実施例により本発明の詳細を示す。
【００２１】
図１は本発明のメモリー付きアナログ計測器の一実施例を示すブロック図である。
【００２２】
センサー１０１はＡ／Ｄコンバータ１０２を介して水深値換算手段１０３に接続されており、水深値換算手段１０３はＡ／Ｄコンバータ１０２の出力に応じた水深計測値を算出し、モータ制御手段１２１によりモータ１１０５を制御し、輪列１０６を介して計測値表示針１０７により水深計測値を表示する。
【００２３】
演算手段１０４では、水深値換算手段１０３により算出された水深計測値と計時手段１１０により計時された時間を基に平均水深値を計算し、計算結果記憶手段１１３に平均水深値を記憶し、モータ制御手段１２１に接続される。
【００２４】
計時手段１１０は潜水時間を計時し、常に計時時間を時間情報記憶手段１１１に記憶し、モータ制御手段１２１によりモータ２１１４を制御し、輪列１１５を介して時間情報表示針１１６により潜水時間を表示する。
【００２５】
時刻計時手段１１９は時刻を計時し、水深計測が開始されると計測開始時刻を計測開始時刻記憶手段１２０に記憶し、モータ制御手段１２１によりモータ３１２２を制御し、輪列１２３を介して時刻表示針１２４により計測開始時刻を表示する。
【００２６】
モータ動作中判別制御手段１０９はモータが動作中か否かを判別し、水深計測を行うか否かの判断をし、Ａ／Ｄコンバータ１０２を制御する。
【００２７】
入力制御手段１１８は、リューズ１１７からの入力状態により水深計測を行うか否かの判断をし、Ａ／Ｄコンバータ１０２を制御する。
【００２８】
図７は図１のメモリー付きアナログ計測器の一実施例を示すハードウェア構成図である。
【００２９】
マイクロコンピュータ９０１はＡ／Ｄ変換回路９０３、ＲＡＭ９０４、ＣＯＲＥ  ＣＰＵ９０５、ＲＯＭ９０６、１Ｈｚ割込みを制御するタイマー９１３、モータパルス等の運針状態を制御するモータ運針制御回路９０７、アラーム音を作り出すサウンドジェネレータ９０８、モータドライバー９０９及び外部からの信号を制御する入力制御回路９１２を内臓しており、全てバスで接続されている。
【００３０】
又、マイクロコンピュータ９０１はセンサー９０２、表示指針９１０、スピーカ９１１及びプッシュスイッチＡ（ＰＳＷ−Ａ）９１４、プッシュスイッチＢ（ＰＳＷ−Ｂ）９１５、プッシュスイッチＣ（ＰＳＷ−Ｃ）９１６、リューズスイッチ０段目（ＲＭ０）９１７、リューズスイッチ１段目（ＲＭ１）９１８、リューズスイッチ２段目（ＲＭ２）９１９と接続している。センサー９０２はＡ／Ｄ変換回路９０３に接続している。表示指針９１０はモータドライバー９０９に接続している。スピーカ９１１はサウンドジェネレータ９０８に接続している。プッシュスイッチＡ（ＰＳＷ−Ａ）９１４、プッシュスイッチＢ（ＰＳＷ−Ｂ）９１５、プッシュスイッチＣ（ＰＳＷ−Ｃ）９１６、リューズスイッチ０段目（ＲＭ０）９１７、リューズスイッチ１段目（ＲＭ１）９１８、リューズスイッチ２段目（ＲＭ２）９１９は入力制御回路９１２に接続している。
【００３１】
図４のフローチャートを用いて図１の説明をする。
【００３２】
１Ｈｚの割込み後、リューズが０段目か否かを判別し（ステップ５０１）、０段目でなければ水深計測を中止し（ステップ５０２）、プログラムを終了する。０段目であれば各モータが動作中か否かを判別し（ステップ５０３）、動作中であれば水深計測を行わずステップ５１０へ飛ぶ。動作中でなければ水深計測を行い（ステップ５０４）、モータ３が動作禁止中か否かを判別する（ステップ５０５）。禁止中であればそのまま次ステップへ進み、禁止中でなければモータ３の動作を禁止し（ステップ５０６）、次ステップへ進む。ステップ５０７では今回計測値が前回計測値よりも大きいか比較し（ステップ５０７）、大きくなければモータ１にパルスをセットし（ステップ５０９）、大きければ最大値記憶手段に今回計測値を最大値として記憶させて（ステップ５０８）から、モータ１にパルスをセットする（ステップ５０９）。ステップ５１０では水深計測時間を計数し、その計測時間を記憶し（ステップ５１１）、モータ２にパルスをセットする（ステップ５１２）。ステップ５１３では計測値と計測時間を基に平均水深を計算し、その平均水深値を計算結果記憶手段に記憶し（ステップ５１４）、プログラムを終了する。
【００３３】
図２は本発明のメモリー及びメモリーリコール及びメモリーリコール時確認音付きアナログ計測器の一実施例を示すブロック図である。
【００３４】
スイッチ２０１は入力制御手段２０２を介して外部入力回数一定値以上検出手段２０３に接続されており、外部入力回数一定値以上検出手段２０３はスイッチ２０１からの入力回数を計数し、確認音制御手段２０５を介して確認音鳴鐘手段２０６でその計数値に応じた確認音を鳴鐘しつつ、記憶値選択手段２０４でその計数値に応じた記憶値を選択し、計算結果記憶手段２０８と時間情報記憶手段２０９と計測開始時刻記憶手段２１０からそれぞれの記憶値を呼び出し、モータ制御手段２１１により各モータを制御する。モータ１２１２は輪列２１３を介して計測値表示針２１４により水深計測値を表示する。モータ２２１６は輪列２１７を介して時間情報表示針２１８により潜水時間を表示する。モータ３２１９は輪列２２０を介して時刻表示針２２１により計測開始時刻を表示する。
【００３５】
外部入力回数一定値以上検出手段２０３でスイッチ２０１からの入力回数が設定値を越えたと検出した場合に、距離計算手段２２２により、計測値表示針２１４と時間情報表示針２１８それぞれの現在表示位置から１２時位置までの距離と、時刻表示針２２１の現在表示位置から現時刻位置までの距離を計算し、モータ制御手段２１１により各モータを算出された距離分のみ動作させる。
【００３６】
図２をＣＰＵ方式により実現すると図７と同様のシステムとなり、ソフト変更のみで本発明のメモリー及びメモリーリコール及びメモリーリコール時確認音付きアナログ計測器を実現できる。
【００３７】
図５のフローチャートを用いて図２の説明をする。
【００３８】
Ｋｅｙ割込み後、ＰＳＷ−Ｂの入力か否かを判別し（ステップ６０１）、ＰＳＷ−Ｂの入力でなければプログラムを終了し、ＰＳＷ−Ｂの入力であれば入力回数ｎを計数し（ステップ６０２）する。潜水情報のメモリー数を２本とすると、ステップ６０３でｎ＝３か否かを判別し、ｎ＝３であれば確認音“ピー”を鳴鐘し（ステップ６１５）、計測値表示針を正転方向に１２時位置まで自走させ（ステップ６１７）、時間情報表示針を正転方向に１２時位置まで自走させ（ステップ６１８）、時刻表示針を正転方向に現在時刻位置まで自走させ（ステップ６１９）、プログラムを終了する。ｎ＝３でなければｎ＝２か否かを判別し（ステップ６０４）、ｎ＝２であれば確認音“ピピッ”を鳴鐘し（ステップ６１６）、ｎ＝２でなければ確認音“ピッ”を鳴鐘（ステップ６０５）する。ステップ６０６でｎ番目の記憶手段から最大水深値を呼び出し、モータ１に正転パルスをセットし（ステップ６０７）、モータ１の自走終了後（ステップ６０８）、平均水深値を呼び出し（ステップ６０９）、モータ１に逆転パルスをセットし（ステップ６１０）、潜水時間を呼び出し（ステップ６１１）、モータ２に正転パルスをセットし（ステップ６１２）、潜水開始時刻を呼び出し（ステップ６１３）、モータ３に正転パルスをセットし（ステップ６１４）、プログラムを終了する。
【００３９】
図３は本発明の記憶値初期化付きアナログ計測器の一実施例を示すブロック図である。
【００４０】
スイッチ３０１から入力制御手段３０２を介して初期化手段３０３に命令が来ると、計算結果記憶手段３０５と時間情報記憶手段３０６と計測開始時刻記憶手段３０７のそれぞれの記憶値を消去し、任意のデータを各記憶手段にインストールする。
【００４１】
図３をＣＰＵ方式により実現すると図７と同様のシステムとなり、ソフト変更のみで本発明の記憶値初期化付きアナログ計測器を実現できる。
【００４２】
図６のフローチャートを用いて図３の説明をする。
【００４３】
１Ｈｚの割込み後、ＰＳＷ−Ａ＋Ｂの入力（プッシュスイッチＡとプッシュスイッチＢの同時入力）か否かを判別し（ステップ７０１）、ＰＳＷ−Ａ＋Ｂの入力でなければプログラムを終了し、ＰＳＷ−Ａ＋Ｂの入力であれば最大値記憶手段に任意の値を書き込み（ステップ７０２）、計算結果記憶手段に任意の値を書き込み（ステップ７０３）、時間情報記憶手段に任意の値を書き込み（ステップ７０４）、計測開始時刻記憶手段に任意の値を書き込み（ステップ７０５）、プログラムを終了する。
【００４４】
【発明の効果】
以上述べてきたように本発明によりアナログ計測器において時間情報を表示できるようになった。そのため計測を実行していた時間等を知ることができアナログ計測器の応用範囲が広がった。
【００４５】
また、本発明によりアナログ計測器において時間情報を呼び出し表示できるようになった。そのため、計測を継続していた時間等を知ることができるようになり、アナログ計測器の応用範囲が広がった。
【００４６】
また、本発明によりアナログ計測器において時刻情報を表示できるようになった。そのため計測を開始した時刻等を知ることができアナログ計測器の応用範囲が広がった。
【００４７】
また、本発明によりアナログ計測器において時刻情報を呼び出し表示できるようになった。そのため、計測を継続していた時刻等を知ることができるようになり、アナログ計測器の応用範囲が広がった。
【００４８】
また、本発明により計測値または計測値と関連したデータ呼出表示するアナログ計測器において、計測が未実行でも通常の呼出表示ができるようになった。そのため計測を実行しなくても呼出表示の機能が正常に働くか確認できるようになった。アナログ計測器は、表示機能に故障が起きやすいため、このことによる効果は大きい。また、計測を実行しなくても、操作方法を覚えたり、操作説明のために呼出機能を実行することができるようになったため操作方法の習得や説明が容易になった。これらのことは、特に計測機能が、水深計測等通常状態では実行しにくい場合には特に有効になる。
【図面の簡単な説明】
【図１】本発明の実施例を示すメモリー付きアナログ計測器のブロック図である。
【図２】本発明の実施例を示すメモリー及びメモリーリコール及びメモリーリコール時確認音付きアナログ計測器のブロック図である。
【図３】本発明の実施例を示す記憶値初期化付きアナログ計測器のブロック図である。
【図４】本発明の実施例を示すメモリー付きアナログ計測器のフローチャートである。
【図５】本発明の実施例を示すメモリー及びメモリーリコール及びメモリーリコール時確認音付きアナログ計測器のフローチャートである。
【図６】本発明の実施例を示す記憶値初期化付きアナログ計測器のフローチャートである。
【図７】本発明の実施例を示すハードウェア構成図である。
【符号の説明】
１１２，２０７，３０４  最大値記憶手段
１１３，２０８，３０５  計算結果記憶手段
１１１，２０９，３０６  時間情報記憶手段
１２０，２１０，３０７  計測開始時刻記憶手段
１０８，２１５  最大針
１０４  演算手段
１０９  モータ動作中判別制御手段
１１８，２０２，３０２  入力制御手段
１２１，２１１  モータ制御手段
２０３  外部入力回数一定値以上検出手段
２０４  記憶値選択手段
２０５  確認音制御手段
２２２  距離計算手段
３０３  初期化手段
【図１】
0003750149.tif 000002
【図２】
0003750149.tif 000003
【図３】
0003750149.tif 000004
【図４】
0003750149.tif 000005
【図５】
0003750149.tif 000006
【図６】
0003750149.tif 000007
【図７】
0003750149.tif 000008